(57)【要約】【課題】針金や棒等によるサムターンの回転を阻止でき、着脱部材を不要にし、しかも、従来同様の回転のみによる操作を可能とし、さらに、扉面より大きく突出しない構造とする。【解決手段】スライド式扉４０の屋内面４１ａに取り付けられた既存サムターン３０の摘み３１を覆う後付け防犯サムターンであって、摘み３１を挿入する嵌入穴１５を後面に有し、摘み３１を包囲して被着される回動円板１１と、回動円板１１の表面に突出されて、回動円板１１の外周縁から中心に向って細幅となるとともに、突出先端面１３から回動円板１１表面にかけて末広がり状のテーパ面１４にて形成される摘み部１２と、を具備することを特徴とする。【選択図】　　　　図１
2004124404.tif 000002
【特許請求の範囲】
【請求項１】
スライド式扉の屋内面に取り付けられた既存サムターンの摘みを覆う後付け防犯サムターンであって、
前記摘みを挿入する嵌入穴を後面に有し、前記摘みを包囲して被着される回動円板と、
前記回動円板の表面に突出されて、前記回動円板の外周縁から中心に向って細幅となるとともに、突出先端面から回動円板表面にかけて末広がり状のテーパ面にて形成される摘み部と、
を具備することを特徴とする後付け防犯サムターン。
【請求項２】
スライド式扉の屋内面に形成される円形凹部内に摘みが配置される既存サムターンの前記摘みを覆う後付け防犯サムターンであって、
前記摘みを挿入する嵌入穴を後面に有し、前記摘みを包囲して被着され、前記円形凹部内に位置する回動円板と、
前記回動円板の表面に突出されて、前記回動円板の外周縁から中心に向って細幅となるとともに、突出先端面から回動円板表面にかけて末広がり状のテーパ面にて形成される摘み部と、
を具備することを特徴とする後付け防犯サムターン。
【請求項３】
前記摘み部の裏面に位置して前記嵌入穴が形成されることを特徴とする請求項１または２記載の後付け防犯サムターン。
【請求項４】
前記摘み部の突出先端面の前記スライド式扉の移動に伴う移動軌跡が、前記スライド式扉の戸袋出入口における縁部分の内側とされることを特徴とする請求項１または２または３記載の後付け防犯サムターン。
【発明の詳細な説明】
【０００１】
【発明の属する技術分野】
本発明は、エンジンドア等のスライド式扉の施解錠操作に用いられる既存のサムターンを覆う後付け防犯サムターンに関するものである。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から針金等を挿入し、回転操作の容易なサムターンに係止して回転させ、施錠装置を解錠する不正解錠が増えている。このようなサムターンに針金等を係止して回転させることを防止するものに例えば下記特許文献１に開示されるサムターン用防犯カバーがある。
【０００４】
この防犯カバー１は、図５，図６に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００５】
また、上記した防犯カバーの別態様として、図７に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。このようにすることで、係止作業という簡単な作業で、防犯カバー１の着脱が行える。さらに係止部６ａで本体部６が空転することにより、針金等を係止させて回転させることが不可能となる。
【０００６】
さらに、上記した防犯カバーの別態様として、図８に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００７】
【特許文献１】
実公平４−４０３６２号公報
【０００８】
【発明が解決しようとする課題】
しかしながら、上述した各防犯カバーは、蝶番にて一側が枢支された、いわゆる開閉扉に用いられるものであり、すなわち扉面から突出して設けられるサムターンにさらに突出状態となることから、引戸のようにスライド移動し、戸袋等に収納されてしまうスライド式扉には用いることが不可能である。
【０００９】
また、図５，図６に示された防犯カバーの場合では、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。さらに、図７に示された防犯カバーは、サムターンを回転操作可能にする取付部と、この取付部に対し空転しかつ着脱可能となる本体部とから構成されているため、着脱した本体部の保管管理が煩雑となり本体部を紛失する虞もあった。また、図８に示された防犯カバーは、サムターンの回転操作時には本体部を手で押圧しながら回転させなければならないため、操作性を低下させた。
【００１０】
本発明は上記状況に鑑みてなされたもので、針金や棒等によるサムターンの回転を阻止できるとともに、着脱部材を不要にし、しかも、従来同様の回転のみによる操作が可能となる後付け防犯サムターンを提供するとともに、扉面より大きく突出しない構造の後付け防犯サムターンを提供することを目的としている。
【００１１】
【課題を解決するための手段】
次に、上記課題を解決するための手段を、実施の形態に対応する図面を参照して説明する。
この発明の請求項１記載の後付け防犯サムターンは、スライド式扉４０の屋内面４１ａに取り付けられた既存サムターン３０の摘み３１を覆う後付け防犯サムターンであって、
前記摘み３１を挿入する嵌入穴１５を後面に有し、前記摘み３１を包囲して被着される回動円板１１と、
前記回動円板１１の表面に突出されて、前記回動円板１１の外周縁から中心に向って細幅となるとともに、突出先端面１３から回動円板１１表面にかけて末広がり状のテーパ面１４にて形成される摘み部１２と、
を具備することを特徴とする。
【００１２】
この後付け防犯サムターンでは、先端を鉤状に曲げた針金をスライド式扉４０同士の隙間或いはスライド式扉４０と扉枠の端面との隙間から挿入しての不正な解錠操作が行われても、摘み部１２に形成されるテーパ面１４により、針金の先端が滑ってしまい、針金による掛止が防止されることとなる。
【００１３】
請求項２記載の後付け防犯サムターンは、スライド式扉４０の屋内面４１ａに形成される円形凹部３４内に摘み３１が配置される既存サムターン３０の前記摘み３１を覆う後付け防犯サムターンであって、
前記摘み３１を挿入する嵌入穴１５を後面に有し、前記摘み３１を包囲して被着され、前記円形凹部３４内に位置する回動円板１１と、
前記回動円板１１の表面に突出されて、前記回動円板１１の外周縁から中心に向って細幅となるとともに、突出先端面１３から回動円板１１表面にかけて末広がり状のテーパ面１４にて形成される摘み部１２と、
を具備することを特徴とする。
【００１４】
この後付け防犯サムターンでは、先端を鉤状に曲げた針金をスライド式扉４０同士の隙間或いはスライド式扉４０と扉枠の端面との隙間から挿入しての不正な解錠操作が行われても、摘み部１２に形成されるテーパ面１４により、針金の先端が滑ってしまい、針金による掛止が防止されることとなる。
また、この後付け防犯サムターンでは、回動円板１１が円形凹部３４の内側に配置されるため、スライド式扉４０の屋内面４１ａからの突出を抑えることができる。さらに、回動円板１１の周縁部分が表出せず、この後付け防犯サムターン自体が掛止されるようなこともない。
【００１５】
請求項３記載の後付け防犯サムターンは、前記摘み部１２の裏面に位置して前記嵌入穴１５が形成されることを特徴とする。
【００１６】
この後付け防犯サムターンでは、摘み３１を嵌入させるための嵌入穴１５が摘み部１２の裏面に形成され、すなわち、嵌入穴１５の外側が摘み部１２とされる形状とすることとなるので、回動円板１１を薄く形成でき、後付け防犯サムターン自体の厚さを小さく形成することができる。つまり、後付け防犯サムターンのスライド式扉４０の屋内面４１ａからの突出を抑えることができる。
【００１７】
請求項４記載の後付け防犯サムターンは、前記摘み部１２の突出先端面１３の前記スライド式扉４０の移動に伴う移動軌跡αが、前記スライド式扉４０の戸袋４２出入口４２ａにおける縁部分４２ｂの内側とされることを特徴とする。
【００１８】
この後付け防犯サムターンでは、スライド式扉４０を収納するための戸袋４２が設けられている場合に、このスライド式扉４０の開閉動作の際、突出先端面１３の移動軌跡αが出入口４２ａにおける縁部分４２ｂの内側を通る。これにより、スライド式扉４０は、縁部分４２ｂに後付け防犯サムターン１０が衝突することなく戸袋４２に収納できる。
【００１９】
【発明の実施の形態】
以下、本発明に係わる後付け防犯サムターンの実施の形態を図面を参照して具体的に説明する。
図１（ａ）は本発明に係わる後付け防犯サムターンの実施の形態の取り付けを示す斜視図、図１（ｂ）は後付け防犯サムターンの実施の形態を示す斜視図、図２（ａ）は後付け防犯サムターンの実施の形態を示す正面図、図２（ｂ）は後付け防犯サムターンの実施の形態を示す側断面図、図３は後付け防犯サムターンの実施の形態を示す側断面図、図４は後付け防犯サムターンの実施の形態を示す平面断面図である。
【００２０】
まず、後付け防犯サムターンに覆われることとなる既存サムターン３０について説明する。
図１に示すように、スライド式扉４０には、錠箱２０が内蔵されている。この錠箱２０には、シリンダー錠４５が屋外面４１ｂに、既存サムターン３０が屋内面４１ａに設けられている。なお、本実施の形態では、シリンダー錠４５と既存サムターン３０は、同軸となる構成ではなく、図１（ａ）に示すように、互い違いに設けられている。
【００２１】
スライド式扉４０は、その屋内側の面である屋内面４１ａに既存サムターン３０が設けられている。また、デッドボルト２１は、スライド式扉４０の屋外側の面である屋外面４１ｂに設けたシリンダー錠４５をキー（図示せず）によって、又はこの既存サムターン３０の摘み３１を回動することによって、スライド式扉４０の下面から進退可能となる。
【００２２】
既存サムターン３０は、図３（ａ），図３（ｂ）に示すように、円筒支持部３７と、この円筒支持部３７に嵌挿される図示しないサムターン軸と、サムターン軸と相対回転不能に連結、若しくはこのサムターン軸と一体に形成される摘み３１と、円筒支持部３７の先端を覆いこの先端に固定される円板状のベース部３５と、ベース部３５に外嵌され、円筒支持部３７に外挿されたバネ３６によってスライド式扉４０の屋内面４１ａに押し付けられる化粧リング３２とで大略構成されている。
【００２３】
円筒支持部３７は、略円筒形に形成されている。円筒支持部３７は、扉内の錠箱２０に対して回動不能に固定され、先端のベース部３５が屋内面４１ａに穿設した挿入穴４１ｃ内に位置する。すなわち、ベース部３５は、屋内面４１ａより奥方に配置され、その周囲に化粧リング３２が配設されており、ベース部３５を底面とし、化粧リング３２の内周壁で円形凹部３４を形成している。なお、化粧リング３２は、押え部３８とベース部３５との間に介装されるバネ３６の付勢力により、フランジ状に形成される端面３３が挿入穴４１ｃの周囲の屋内面４１ａに当接しており、このバネの伸縮によって、スライド式扉４０の厚さに関らず、端面３３が常に屋内面４１ａに当接状態とされる。すなわち、図３（ａ），図４（ａ）又は図３（ｂ），図４（ｂ）に示すように、スライド式扉４０の厚さが違っていても、端面３３は屋内面４１ａと当接される。そして、上記した円形凹部３４内に摘み３１が回動自在に配置される。従って、既存サムターン３０は、摘み３１が回動されることで、サムターン軸を介して錠箱２０機構部内が操作され、デッドボルト２１がスライド式扉４０の下面から進退するようになっている。なお、本実施の形態の摘み３１は、図１（ａ）に示すように、略矩形板状に形成されている。
【００２４】
次に、この実施の形態による後付け防犯サムターンについて説明する。
この後付け防犯サムターン１０は、図１（ｂ），図２（ａ）に示すように回動円板１１と摘み部１２とで略構成されている。
回動円板１１は、化粧リング３２の内径と同等の外径、若しくはやや細径に形成されている。なお、回動円板１１の後面には、既存サムターン３０の摘み３１が嵌合される嵌入穴１５が形成されている。本実施の形態では、嵌入穴１５は、摘み３１の全体が嵌合可能となる略矩形状に形成されている。また、この嵌入穴１５には、嵌入穴１５の溝幅を狭めるように嵌入穴１５の深さ方向に延びる複数の突条状の圧接部１５ａが設けられている。
摘み部１２は、回動円板１１の表面に突設されている。この摘み部１２の屋内側となる先端には、スライド式扉４０の表面と略平行な面である突出先端面１３が形成されている。また、この摘み部１２は、回動円板１１の表面に突設されて、回動円板１１の外周縁から中心に向って徐々に細幅となり、突出先端面１３から回動円板１１にかけて末広がり状のテーパ面１４にて形成されている。このテーパ面１４は、好ましくは、曲面より形成される。
【００２５】
本実施の形態では、摘み部１２は、その裏面（後面）が嵌入穴１５とされ、すなわち、図２（ｂ）に示すように、回動円板１１の周縁部分から突出先端面１３にかけての厚みが略均一であり、この突出先端面１３の裏面に嵌入穴１５の最奥部分が位置する。また、この突出先端面１３における板厚は、やや薄肉形成が好ましい。すなわち、摘み部１２の突出長さは、既存サムターン３０の摘み３１の突出長さとほぼ同等の長さに形成される。
【００２６】
なお、例えば、この後付け防犯サムターン１０の素材としては、耐摩耗性を有し、剛性に優れたアセタール樹脂（ポリオキシメチレン）等が好ましい。
【００２７】
そして、この後付け防犯サムターン１０は、既存サムターン３０の摘み３１に嵌入穴１５を対応させ、この嵌入穴１５に摘み３１を挿入し包囲して被着させることで取り付けられる。この取り付けの際は、嵌入穴１５内に設けた圧接部１５ａによる圧入状態或いは粘着テープや接着剤を用いることで行われる。
【００２８】
取り付けられた後付け防犯サムターン１０は、図３，図４に示すように、回動円板１１が円形凹部３４内に嵌入し、ベース部３５を回動円板１１にて覆い隠し、この回動円板１１の周縁は化粧リング３２にて覆われる。また、摘み部１２の突出先端面１３がスライド式扉４０の屋内面４１ａよりやや突出される程度となる。
このように、既存サムターン３０に取り付けられた後付け防犯サムターン１０は、スライド式扉４０の開閉時における移動軌跡αが、図３（ａ），図３（ｂ）に示すようになり、扉を収納するための戸袋４２の出入口４２ａにおける縁部分４２ｂの内側となる。
【００２９】
従って、この後付け防犯サムターンでは、施錠及び解錠する操作を行う際には、摘み部１２を回動操作することで行うことができる。
【００３０】
そして、この後付け防犯サムターン１０を既存サムターン３０に取り付けることによって、突出先端面１３から回動円板１１の表面にかけて末広がり状に湾曲しているテーパ面１４が、先端を鉤状に曲げた針金での不正な解錠操作を防止する。具体的には、通常、デッドボルト２１がストライクに進入された施錠状態では、摘み部１２は横長となった状態となっている。その摘み部１２を針金の先端で下方から起こそうとしても突出先端面１３へ向って徐々に細幅となって勾配しているテーパ面１４によって針金の先端を滑らせ、針金による掛止を防止することができる。つまり、後付け防犯サムターン１０の回転動作を防止することができる。
【００３１】
また、円形凹部３４の内側に後付け防犯サムターン１０が取り付けられていることにより、回動円板１１の周縁部分が表出せず、屋内面４１ａからの突出長さを小さくすることができる。そして、この後付け防犯サムターン１０の周縁が円形凹部３４の周壁に覆われていることにより、スライド式扉４０の屋内面４１ａと平行方向からの針金の掛止を防止することができる。
【００３２】
さらに、摘み３１を嵌入させるための嵌入穴１５が摘み部１２の裏面に形成され、すなわち、嵌入穴１５の外側が摘み部１２とされる形状とすることとなるので、回動円板１１を薄く形成でき、後付け防犯サムターン自体の厚さを小さく形成することができる。つまり、後付け防犯サムターンのスライド式扉４０の屋内面４１ａからの突出を抑えることができる。
【００３３】
また、スライド式扉４０を収納するための戸袋４２が設けられている場合に、このスライド式扉４０の開閉動作の際、突出先端面１３の移動軌跡αが出入口４２ａにおける縁部分４２ｂの内側を通る。これにより、スライド式扉４０は、縁部分４２ｂに後付け防犯サムターン１０が衝突することなく戸袋４２に収納できる。
【００３４】
【発明の効果】
以上説明したように、請求項１記載の後付け防犯サムターンによれば、回動円板の外周縁から中心に向って細幅となり、突出先端面から回動円板にかけて末広がり状に湾曲しているテーパ面が形成されていることによって、先端を鉤状に曲げた針金をスライド式扉同士の隙間或いはスライド式扉と扉枠の端面との隙間から挿入してのサムターンの不正な解錠操作を防止することができる。すなわち、この後付け防犯サムターンでは、摘み部を針金の先端で回動操作を行おうとしても、突出先端面へ向って徐々に細径となって勾配しているテーパ面によって針金の先端を滑らせ、針金による掛止を防止することができる。
また、この後付け防犯サムターンは、既存サムターンの摘みを覆い隠すように取り付けられる構成であり、突出した摘みにより、従来同様の回動操作が可能とされる。この結果、着脱部材を不要にし、防犯性、操作性を向上させることができる。
【００３５】
請求項２の後付け防犯サムターンによれば、上記効果に加え、円形凹部の内側に後付け防犯サムターンが取り付けられることから、後付け防犯サムターンの屋内面からの突出を抑えることができる。また、この後付け防犯サムターンの回動円板の周囲が円形凹部の周壁に覆われていることにより、スライド式扉の扉面と平行な方向からの針金の掛止を防止することができる。さらに、円形凹部内に後付け防犯サムターンが位置していることから、スライド式扉としての納まりがよく、扉としての意匠性を損ねることがない。
【００３６】
請求項３の後付け防犯サムターンによれば、摘み部を嵌め込むための嵌入穴が摘み部の裏面に形成され、すなわち、嵌入穴の外側が摘み部とされることにより、回動円板の厚みを薄くすることができ、後付け防犯サムターン自体の厚さを小さく形成することができる。つまり、後付け防犯サムターンのスライド式扉の屋内面からの突出を抑えることができる。
【００３７】
請求項４の後付け防犯サムターンによれば、戸袋が設けられているスライド式扉において、スライド式扉の開閉動作の際、突出先端面の移動軌跡が戸袋の内側を通る。これにより、スライド式扉全体が戸袋に収納可能となる。
【図面の簡単な説明】
【図１】（ａ）本発明に係わる後付け防犯サムターンの取り付けを示す斜視図である。
（ｂ）本発明に係わる後付け防犯サムターンの斜視図である。
【図２】（ａ）本発明に係わる後付け防犯サムターンの正面図である。
（ｂ）本発明に係わる後付け防犯サムターンを表す平断面図である。
【図３】（ａ）本発明に係わる後付け防犯サムターンの側断面図である。
（ｂ）本発明に係わる後付け防犯サムターンの側断面図である。
【図４】（ａ）本発明に係わる後付け防犯サムターンの平断面図である。
（ｂ）本発明に係わる後付け防犯サムターンの平断面図である。
【図５】従来の防犯カバーの扉への取り付け状態を示す斜視図である。
【図６】図５に示した防犯カバーの内部状態を表す断面図である。
【図７】図５に示した防犯カバーの別態様を表す部分破断側面図である。
【図８】図５に示した防犯カバーのさらに別態様を表す部分破断側面図である。
【符号の説明】
１０…後付け防犯サムターン
１１…回動円板
１２…摘み部
１３…突出先端面
１４…テーパ面
１５…嵌入穴
３０…既存サムターン
３１…摘み
３４…円形凹部
４０…スライド式扉
４１ａ…屋内面
４２…戸袋
４２ｂ…縁部分
α…移動軌跡
【図１】
2004124404.tif 000003
【図２】
2004124404.tif 000004
【図３】
2004124404.tif 000005
【図４】
2004124404.tif 000006
【図５】
2004124404.tif 000007
【図６】
2004124404.tif 000008
【図７】
2004124404.tif 000009
【図８】
2004124404.tif 000010